(57)【要約】【課題】操作スイッチを円滑に操作できる電気膝掛けを提供すること。【解決手段】電気膝掛けは、シートと、シートに設けられるポケットと、シートに配置される発熱体と、少なくとも一部がポケットに配置され発熱体と電源とを接続するケーブルと、電源を操作する操作スイッチと、を備える。操作スイッチは、ポケットの周囲の少なくとも一部に配置される。【選択図】図１
2020183584.tif 000002
【特許請求の範囲】
【請求項１】
シートと、
前記シートに設けられるポケットと、
前記シートに配置される発熱体と、
少なくとも一部が前記ポケットに配置され前記発熱体と電源とを接続するケーブルと、
前記電源を操作する操作スイッチと、を備え、
前記操作スイッチは、前記ポケットの周囲の少なくとも一部に配置されることを特徴とする電気膝掛け。
【請求項２】
前記ポケットと前記操作スイッチとは、横方向に配置されることを特徴とする請求項１に記載の電気膝掛け。
【請求項３】
前記ポケットと前記発熱体と前記操作スイッチとは、横方向に配置されることを特徴とする請求項１に記載の電気膝掛け。
【請求項４】
縦方向において、前記操作スイッチは、前記ポケットの上端部と下端部との間、且つ、前記発熱体の上端部と下端部との間に配置されることを特徴とする請求項３に記載の電気膝掛け。
【請求項５】
前記操作スイッチは、前記ポケットと前記発熱体との間に配置されることを特徴とする請求項３又は請求項４に記載の電気膝掛け。
【請求項６】
前記操作スイッチと前記ポケットとの距離は、前記操作スイッチと前記発熱体との距離よりも短いことを特徴とする請求項３から請求項５のいずれか一項に記載の電気膝掛け。
【請求項７】
横方向において、前記発熱体と前記シートの中心との距離は、前記ポケットと前記シートの中心との距離よりも短いことを特徴とする請求項３から請求項６のいずれか一項に記載の電気膝掛け。
【請求項８】
縦方向において、前記ポケット、前記発熱体、及び前記操作スイッチは、前記シートの中心よりも上方に配置されることを特徴とする請求項１から請求項７のいずれか一項に記載の電気膝掛け。
【請求項９】
縦方向において、前記操作スイッチは、前記ポケットの中心よりも上方、且つ、前記発熱体の中心よりも上方に配置されることを特徴とする請求項８に記載の電気膝掛け。
【請求項１０】
前記ポケットは、上方を向く開口を有し、
前記ポケットの開口は、横方向に延伸することを特徴とする請求項１から請求項９のいずれか一項に記載の電気膝掛け。
【請求項１１】
前記ポケットと前記発熱体との間において前記ケーブルの少なくとも一部を前記シートに固定する固定部材を備えることを特徴とする請求項１から請求項１０のいずれか一項に記載の電気膝掛け。
【請求項１２】
前記ケーブルは、前記発熱体に接続される第１ケーブルと、前記電源に接続される第２ケーブルと、前記第１ケーブル及び前記第２ケーブルのそれぞれに接続される延長ケーブルとを含み、
前記延長ケーブルは、マグネットコネクタを介して前記第１ケーブル及び前記第２ケーブルの少なくとも一方に接続されることを特徴とする請求項１から請求項１１のいずれか一項に記載の電気膝掛け。
【発明の詳細な説明】
【技術分野】
【０００１】
本発明は、電気膝掛けに関する。
【背景技術】
【０００２】
発熱体を備える電気膝掛けが知られている。発熱体は、電源から供給される電力により発熱する。特許文献１には、電源を収容するポケット状の電源収容部を備えるブランケットが開示されている。
【先行技術文献】
【特許文献】
【０００３】
【特許文献１】特開２０１９−００７１００号公報
【発明の概要】
【発明が解決しようとする課題】
【０００４】
操作スイッチが電気膝掛けに設けられる場合がある。操作スイッチの位置によっては、電気膝掛けの使用者は、操作スイッチを円滑に操作することが困難となる可能性がある。
【０００５】
本発明の態様は、操作スイッチを円滑に操作できる電気膝掛けを提供することを目的とする。
【課題を解決するための手段】
【０００６】
本発明の態様に従えば、シートと、前記シートに設けられるポケットと、前記シートに配置される発熱体と、少なくとも一部が前記ポケットに配置され前記発熱体と電源とを接続するケーブルと、前記電源を操作する操作スイッチと、を備え、前記操作スイッチは、前記ポケットの周囲の少なくとも一部に配置されることを特徴とする電気膝掛けが提供される。
【発明の効果】
【０００７】
本発明の態様によれば、操作スイッチを円滑に操作できる電気膝掛けが提供される。
【図面の簡単な説明】
【０００８】
【図１】図１は、第１実施形態に係る電気膝掛けを模式的に示す正面図である。
【図２】図２は、第１実施形態に係る電気膝掛けを模式的に示す分解斜視図である。
【図３】図３は、第１実施形態に係るポケットを模式的に示す正面図である。
【図４】図４は、第１実施形態に係る電源を示す斜視図である。
【図５】図５は、第１実施形態に係る電気膝掛けの使用例を模式的に示す図である。
【図６】図６は、第１実施形態に係る電気膝掛けの使用例を模式的に示す図である。
【図７】図７は、第２実施形態に係る電気膝掛けの使用例を模式的に示す図である。
【図８】図８は、第２実施形態に係る第１ケーブルの端子及び延長ケーブルの端子を模式的に示す図である。
【発明を実施するための形態】
【０００９】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１０】
［第１実施形態］
図１は、本実施形態に係る電気膝掛け１を模式的に示す正面図である。図２は、本実施形態に係る電気膝掛け１を模式的に示す分解斜視図である。電気膝掛け１は、電気ブランケットの一種である。図１及び図２に示すように、電気膝掛け１は、シート２と、シート２に設けられるポケット３と、シート２に配置される発熱体４と、電源５と、発熱体４と電源５とを接続するケーブル６と、電源５を操作する操作スイッチ７と、ケーブル６の少なくとも一部をシート２に固定する固定部材９とを備える。
【００１１】
シート２は、電気膝掛け１の本体として機能する。シート２の外形は、長方形状である。シート２は、短辺２１と長辺２２とを有する。以下の説明において、短辺２１と実質的に平行な方向を適宜、縦方向、と称し、長辺２２と実質的に平行な方向を適宜、横方向、と称する。縦方向の一方は「上」であり、縦方向の他方は「下」である。横方向の一方は「左」であり、横方向の他方は「右」である。短辺２１は縦方向に延伸する。長辺２２は横方向に延伸する。
【００１２】
内部空間２３がシート２の上端部に設けられる。内部空間２３は、横方向に延伸する。紐８の一部が内部空間２３に配置される。開口２４Ｌが内部空間２３の左端部に設けられる。開口２４Ｒが内部空間２３の右端部に設けられる。内部空間２３とシート２の周囲の外部空間とは、開口２４Ｌ及び開口２４Ｒを介して接続される。紐８の左端部は、開口２４Ｌから外部空間に出る。紐８の右端部は、開口２４Ｒから外部空間に出る。紐８の中間部は、内部空間２３に配置される。
【００１３】
紐８の左端部は、紐留め具２５Ｌに保持される。紐８の右端部は、紐留め具２５Ｒに保持される。紐留め具２５Ｌは、接続布２６Ｌを介して、シート２の左端部の上端部に接続される。紐留め具２５Ｒは、接続布２６Ｒを介して、シート２の右端部の上端部に接続される。
【００１４】
シート２の上端部にスナップボタンが設けられる。スナップボタンは、凸ボタン２７Ｌと、凸ボタン２７Ｌと連結可能な凹ボタン２７Ｒとを含む。凸ボタン２７Ｌは、シート２の左部の上部に複数設けられる。凹ボタン２７Ｒは、シート２の右部の上部に複数設けられる。本実施形態において、３つの凸ボタン２７Ｌが横方向に間隔をあけて設けられる。３つの凹ボタン２７Ｒが横方向に間隔をあけて設けられる。なお、凸ボタン２７Ｌの数は、１つでもよいし、２つでもよいし、４つ以上の任意の複数でもよい。凹ボタン２７Ｒの数は、１つでもよいし、２つでもよいし、４つ以上の任意の複数でもよい。
【００１５】
図２に示すように、シート２は、第１シート２８と第２シート２９とを含む。第１シート２８の外形と第２シート２９の外形とは実質的に等しい。第１シート２８の寸法と第２シート２９の寸法とは実質的に等しい。第１シート２８は、外面２８Ａと内面２８Ｂとを有する。第２シート２９は、外面２９Ａと内面２９Ｂとを有する。第１シート２８の内面２８Ｂと第２シート２９の内面２９Ｂとが対向するように、第１シート２８と第２シート２９とが接続される。発熱体４は、第１シート２８と第２シート２９との間に配置される。第１シート２８と第２シート２９とは、縫製糸により縫合されてもよいし、接着剤により接合されてもよい。
【００１６】
第１シート２８は、ナイロン又はポリエステルのような合成樹脂製である。第２シート２９は、フリース製である。フリースとは、起毛仕上げされたポリエチレンテレフタレートの繊維素材をいう。なお、第１シート２８と第２シート２９とは同じ材料で形成されてもよい。
【００１７】
ポケット３は、電源５を収容可能である。ポケット３は、電源５を収容可能なポケット空間３１を有する。ポケット３は、シート２の一部に設けられる。ポケット３の外形は、シート２の外形よりも小さい。本実施形態において、ポケット３は、シート２の左部の上部に設けられる。ポケット３は、上方を向く開口３２を有する。ポケット３の開口３２は、横方向に延伸する。
【００１８】
線ファスナー３３が開口３２に設けられる。線ファスナー３３により、開口３２が開閉される。線ファスナー３３は、エレメント３３Ａと、スライダー３３Ｂとを有する。スライダー３３Ｂが右に移動することにより、開口３２が開く。スライダー３３Ｂが左に移動することにより、開口３２が閉じる。
【００１９】
発熱体４は、電源５から供給される電力により発熱する。発熱体４は、シート２の一部に配置される。発熱体４の外形は、シート２の外形よりも小さい。発熱体４は、第１シート２８と第２シート２９との間に配置される。本実施形態において、発熱体４は、第１シート２８の内面２８Ｂに支持される。本実施形態において、発熱体４は、縫製糸により第１シート２８に縫合される。なお、発熱体４は、接着剤により第１シート２８に接合されてもよい。
【００２０】
発熱体４の外形は、長方形状である。発熱体４は、縦方向に延伸する短辺４１と、横方向に延伸する長辺４２とを有する。発熱体４は、発熱体４の短辺４１とシート２の短辺２１とが平行となり、発熱体４の長辺４２とシート２の長辺２２とが平行となるように、第１シート２８に支持される。なお、発熱体４は、短辺４１が横方向に延伸し長辺４２が縦方向に延伸するように配置されてもよい。なお、発熱体４の外形は、正方形でもよい。
【００２１】
本実施形態において、発熱体４は、シート２の上部に配置される。横方向において、発熱体４とシート２の中心との距離は、ポケット３とシート２の中心との距離よりも短い。本実施形態において、発熱体４は、横方向においてシート２の中央部に配置される。発熱体４の一部は、横方向においてシート２の中心に配置される。
【００２２】
電源５は、発熱体４に電力を供給する。電源５は、ポケット３に収容可能な充電式の汎用バッテリである。本実施形態において、電源５は、電動工具用バッテリである。
【００２３】
ケーブル６は、発熱体４と電源５とを接続する。電源５は、ケーブル６を介して、発熱体４に電力を供給する。ケーブル６の少なくとも一部は、ポケット３のポケット空間３１に配置される。本実施形態において、ケーブル６は、発熱体４に接続される第１ケーブル６１と、電源５に接続される第２ケーブル６２とを含む。電源５がポケット３に収容されることにより、第２ケーブル６２もポケット３に収容される。第１ケーブル６１の端部に端子６１Ａが設けられる。第２ケーブル６２の端部に端子６２Ａが設けられる。端子６１Ａと端子６２Ａとが接続されることにより、第１ケーブル６１と第２ケーブル６２とが接続される。
【００２４】
図２に示すように、開口３４がポケット３の一部に設けられる。第１ケーブル６１の一部は、開口３４に配置される。端子６１Ａを含む第１ケーブル６１の一部は、ポケット空間３１に配置される。ポケット空間３１において、第１ケーブル６１の端子６１Ａと第２ケーブル６２の端子６２Ａとが接続される。
【００２５】
固定部材９は、ポケット３と発熱体４との間においてケーブル６の少なくとも一部をシート２に固定する。第１ケーブル６１の一部は、ポケット３と発熱体４との間の第１シート２８の内面２８Ｂに配置される。本実施形態において、固定部材９は、ポケット３と発熱体４との間において、第１ケーブル６１を第１シート２８に固定する。
【００２６】
図２に示すように、本実施形態において、固定部材９は、ケーブル６を覆う布を含む。固定部材９は、横方向に長い。固定部材９は、ポケット３と発熱体４との間において、第１ケーブル６１を覆うように配置される。第１ケーブル６１の一部は、固定部材９と第１シート２８とに挟まれる。第１ケーブル６１が固定部材９と第１シート２８とに挟まれた状態で、固定部材９と第１シート２８とが縫製糸により縫合されることにより、第１ケーブル６１は、第１シート２８の内面２８Ｂに支持される。なお、固定部材９は、布でなくてもよく、例えば糸でもよい。
【００２７】
操作スイッチ７は、電源５から発熱体４に対する電力供給と電力供給停止とを切り換えるオンオフスイッチである。電源５から発熱体４に電力が供給されることにより、発熱体４が駆動する。電源５から発熱体４に対する電力の供給が停止されることにより、発熱体４は停止する。操作スイッチ７は、電気膝掛け１の使用者に操作される。操作スイッチ７が操作されることにより、発熱体４を駆動又は停止させるための操作信号が生成される。
【００２８】
操作スイッチ７は、ケーブル１０及び制御回路１１を介して、ケーブル６に接続される。操作スイッチ７が操作されることにより生成された操作信号は、ケーブル１０を介して制御回路１１に送信される。制御回路１１は、操作信号に基づいて、電源５から発熱体４に対する電力供給と電力供給停止とを切り換える。使用者は、操作スイッチ７を操作することにより、発熱体４の駆動と停止とを切り換えることができる。
【００２９】
操作スイッチ７は、シート２の一部に設けられる。操作スイッチ７の外形は、ポケット３の外形及び発熱体４の外形よりも小さい。操作スイッチ７は、ポケット３の周囲の少なくとも一部に配置される。すなわち、操作スイッチ７は、ポケット３の外縁部よりも外側に配置される。
【００３０】
操作スイッチ７がポケット３の外縁部よりも外側に配置されることにより、ポケット３に電源５が収容されても、使用者は、操作スイッチ７を円滑に操作することができる。ポケット３に電源５が収容されると、ポケット３が膨らむ。例えば操作スイッチ７がポケット３と重複する位置に配置されている場合、ポケット３に電源５が収容されると、使用者は、操作スイッチ７を円滑に操作することが困難となる。本実施形態においては、操作スイッチ７がポケット３と重複しない位置に配置される。そのため、電気膝掛け１の使用者は、操作スイッチ７を円滑に操作することができる。
【００３１】
ポケット３と操作スイッチ７とは、横方向に配置される。本実施形態において、操作スイッチ７は、ポケット３の右側に配置される。
【００３２】
ポケット３と発熱体４と操作スイッチ７とは、横方向に配置される。本実施形態において、発熱体４は、操作スイッチ７の右側に配置される。横方向において、操作スイッチ７は、ポケット３と発熱体４との間に配置される。
【００３３】
横方向において、操作スイッチ７とポケット３との距離は、操作スイッチ７と発熱体４との距離よりも短い。すなわち、操作スイッチ７は、ポケット３と発熱体４との間において、ポケット３に近い位置に配置される。
【００３４】
操作スイッチ７は、縦方向においてシート２の上部に配置される。縦方向において、ポケット３、発熱体４、及び操作スイッチ７は、シート２の中心よりも上方に配置される。
【００３５】
縦方向において、操作スイッチ７は、ポケット３の上端部と下端部との間、且つ、発熱体４の上端部と下端部との間に配置される。すなわち、縦方向において、ポケット３の一部の位置と、発熱体４の一部の位置と、操作スイッチ７の位置とは、一致する。
【００３６】
縦方向において、操作スイッチ７は、ポケット３の中心よりも上方に配置される。縦方向において、操作スイッチ７は、発熱体４の中心よりも上方に配置される。
【００３７】
図３は、本実施形態に係るポケット３を模式的に示す正面図である。端子６１Ａを含む第１ケーブル６１の一部は、ポケット空間３１に配置される。第２ケーブル６２は、電源５に接続される。ポケット３に電源５を収容する場合、使用者は、スライダー３３Ｂを右に移動して、開口３２を開く。これにより、使用者は、開口３２を介してポケット３に電源５を収容することができる。開口３２は、上方を向き、横方向に延伸する。したがって、使用者は、ポケット３に電源５を円滑に挿入することができる。また、使用者は、ポケット３から電源５を円滑に抜去することができる。
【００３８】
使用者は、第１ケーブル６１の端子６１Ａと第２ケーブル６２の端子６２Ａとを接続する。第１ケーブル６１と第２ケーブル６２とが接続されることにより、電源５と発熱体４とが通電可能状態になる。ケーブル６を介して電源５と発熱体４とが接続されている状態で、操作スイッチ７が操作されることにより、電源５から発熱体４に電力が供給される。これにより、発熱体４は発熱する。
【００３９】
図４は、本実施形態に係る電源５を示す斜視図である。電源５は、電動工具用バッテリ５１を含む。電動工具用バッテリ５１は、アダプタ５２に装着される。アダプタ５２は、電動工具用バッテリ５１が装着されるバッテリ装着部５３と、第２ケーブル６２が接続される接続部５４と、フック部５５とを有する。
【００４０】
電動工具用バッテリ５１は、バッテリ装着部５３に装着される。電動工具用バッテリ５１は、充電式バッテリである。バッテリ装着部５３は、電動工具用バッテリ５１をガイドするガイド部を有する。電動工具用バッテリ５１は、バッテリ装着部５３のガイド部にガイドされながらスライドすることにより、バッテリ装着部５３に装着される。アダプタ５２に電動工具用バッテリ５１が装着されることにより、アダプタ５２と電動工具用バッテリ５１とは通電可能状態になる。
【００４１】
接続部５４は、第２ケーブル６２に接続される。第２ケーブル６２の端部に端子６２Ａが設けられる。第１ケーブル６１の端部に端子６１Ａが設けられる。端子６１Ａと端子６２Ａとが接続されることにより、電源５と発熱体４とが通電可能状態になる。
【００４２】
フック部５５は、例えば使用者の衣服に掛けられる。
【００４３】
図５は、本実施形態に係る電気膝掛け１の使用例を模式的に示す図である。図５に示すように、使用者は、例えば椅子に座った状態で電気膝掛け１を膝に掛けることができる。使用者は、ケーブル６を介して電源５と発熱体４とが接続されている状態で、電源５から発熱体４に電力が供給されるように、操作スイッチ７を操作する。これにより、発熱体４が発熱する。発熱体４は、横方向においてシート２の中央部に配置される。また、発熱体４は、シート２の上部に配置される。そのため、電気膝掛け１が使用者の膝に掛けられた状態で、発熱体４は、使用者の膝部又は大腿部に当たることができる。これにより、使用者の膝部又は大腿部が効果的に暖められる。
【００４４】
図６は、本実施形態に係る電気膝掛け１の使用例を模式的に示す図である。図６に示すように、使用者は、電気膝掛け１を腰に巻くことができる。発熱体４は、横方向においてシート２の中央部に配置されている。また、発熱体４は、シート２の上部に配置されている。そのため、電気膝掛け１が使用者の腰に巻かれた状態で、発熱体４は、使用者の腰部又は臀部に当たることができる。これにより、使用者の腰部又は臀部が効果的に暖められる。
【００４５】
スナップボタンの凸ボタン２７Ｌは、異なる位置に複数設けられる。スナップボタンの凹ボタン２７Ｒは、異なる位置に複数設けられる。使用者は、例えば腹囲に応じて、連結する凸ボタン２７Ｌ及び凹ボタン２７Ｒを選択することができる。また、使用者は、紐８を引っ張ることにより、電気膝掛け１を腰に締め付けることができる。紐８は、紐留め具２５Ｌ及び紐留め具２５Ｒにより固定される。
【００４６】
図６に示すように、電源５は、ポケット３に収容されなくてもよい。使用者は、フック部５５を介して、電源５を衣服に引っ掛けてもよい。電源５がポケット３の外部に配置される場合、ケーブル６の一部がポケット３の外部に配置されてもよい。
【００４７】
以上説明したように、本実施形態によれば、操作スイッチ７がポケット３の周囲の少なくとも一部に配置される。操作スイッチ７がポケット３と重複しない位置に配置されることにより、使用者は、操作スイッチ７を円滑に操作することができる。操作スイッチ７がポケット３と重複する位置に配置されている場合、ポケット３に電源５が収容されると、使用者は、操作スイッチ７を円滑に操作することが困難となる。本実施形態においては、操作スイッチ７がポケット３と重複しない位置に配置される。そのため、使用者は、操作スイッチ７を円滑に操作することができる。
【００４８】
ポケット３と操作スイッチ７とは、横方向に配置される。これにより、使用者は、電気膝掛け１を膝に掛けた状態及び腰に巻いた状態のそれぞれにおいて、ポケット３に電源５を挿入する動作、ポケット３から電源５を抜去する動作、及び操作スイッチ７の操作を円滑に実行することができる。
【００４９】
ポケット３と発熱体４と操作スイッチ７とは、横方向に配置される。また、縦方向において、操作スイッチ７は、ポケット３の上端部と下端部との間、且つ、発熱体４の上端部と下端部との間に配置される。これにより、使用者は、発熱体４により暖められている状態で、ポケット３に電源５を挿入する動作、ポケット３から電源５を抜去する動作、及び操作スイッチ７の操作を円滑に実行することができる。
【００５０】
操作スイッチ７は、ポケット３と発熱体４との間に配置される。そのため、ケーブル６及びケーブル１０の配線が複雑化すること、又はケーブル６及びケーブル１０が不必要に長くなることが抑制される。
【００５１】
操作スイッチ７とポケット３との距離は、操作スイッチ７と発熱体４との距離よりも短い。そのため、操作スイッチ７が加熱されることが抑制される。
【００５２】
横方向において、発熱体４とシート２の中心との距離は、ポケット３とシート２の中心との距離よりも短い。発熱体４が横方向においてシート２の中央部に配置されることにより、電気膝掛け１が膝に掛けられた状態においては、使用者の膝部又は大腿部が効果的に暖められる。電気膝掛け１が腰に巻かれた状態においては、使用者の腰部又は臀部が効果的に暖められる。
【００５３】
縦方向において、ポケット３、発熱体４、及び操作スイッチ７は、シート２の中心よりも上方に配置される。発熱体４がシート２の上部に配置されることにより、電気膝掛け１が膝に掛けられた状態においては、使用者の膝部又は大腿部が効果的に暖められる。電気膝掛け１が腰に巻かれた状態においては、使用者の腰部又は臀部が効果的に暖められる。ポケット３及び操作スイッチ７がシート２の上部に配置されることにより、使用者は、電気膝掛け１を膝に掛けた状態及び腰に巻いた状態のそれぞれにおいて、ポケット３に電源５を挿入する動作、ポケット３から電源５を抜去する動作、及び操作スイッチ７の操作を円滑に実行することができる。
【００５４】
縦方向において、操作スイッチ７は、ポケット３の中心よりも上方、且つ、発熱体４の中心よりも上方に配置される。これにより、使用者は、電気膝掛け１を膝に掛けた状態及び腰に巻いた状態のそれぞれにおいて、操作スイッチ７の操作を円滑に実行することができる。
【００５５】
ポケット３の開口３２は、上方を向き、横方向に延伸する。これにより、使用者は、電気膝掛け１を膝に掛けた状態及び腰に巻いた状態のそれぞれにおいて、ポケット３に電源５を挿入する動作、及びポケット３から電源５を抜去する動作を円滑に実行することができる。
【００５６】
ポケット３と発熱体４との間においてケーブル６の少なくとも一部をシート２に固定する固定部材９が設けられる。これにより、電気膝掛け１の使用中において、ケーブル６が不必要に動くことが抑制される。そのため、使用者は電気膝掛け１を快適に使用することができる。
【００５７】
［第２実施形態］
第２実施形態について説明する。以下の実施形態において、上述の実施形態と同一又は同等の構成要素については同一の符号を付し、その説明を簡略又は省略する。
【００５８】
図７は、本実施形態に係る電気膝掛け１の使用例を模式的に示す図である。本実施形態において、ケーブル６は、発熱体４に接続される第１ケーブル６１と、電源５に接続される第２ケーブル６２と、第１ケーブル６１及び第２ケーブル６２のそれぞれに接続される延長ケーブル６３とを含む。
【００５９】
使用者は、ポケット３の外部に電源５を設置することができる。電源５をポケット３の外部に設置する場合、使用者は、延長ケーブル６３を介して、第１ケーブル６１と第２ケーブル６２とを接続することができる。図７に示す例において、電源５は、電気膝掛け１から離れた位置に存在するテーブルに設置される。
【００６０】
延長ケーブル６３は、第１ケーブル６１の端子６１Ａに接続される端子６３Ａと、第２ケーブル６２の端子６２Ａに接続される端子６３Ｂとを有する。端子６１Ａと端子６３Ａとが接続され、端子６２Ａと端子６３Ｂとが接続されることにより、第１ケーブル６１と第２ケーブル６２とは、延長ケーブル６３を介して接続される。
【００６１】
図８は、本実施形態に係る第１ケーブル６１の端子６１Ａ及び延長ケーブル６３の端子６３Ａを模式的に示す図である。本実施形態において、端子６１Ａ及び端子６３Ａは、マグネットコネクタを含む。延長ケーブル６３は、マグネットコネクタを介して第１ケーブル６１に接続される。
【００６２】
端子６１Ａは、ピン部６４と、ピン部６４の周囲に配置されるマグネット部６５とを有する。端子６３Ａは、ピン部６４が挿入される孔部６６と、孔部６６の周囲に配置されるマグネット部６７とを有する。ピン部６４が孔部６６に挿入されることにより、第１ケーブル６１と延長ケーブル６３とが通電可能状態になる。マグネット部６５とマグネット部６７とは磁力により吸着される。ピン部６４が孔部６６に挿入された状態で、マグネット部６５とマグネット部６７とが磁力により吸着される。これにより、端子６１Ａと端子６３Ａとが接続される。なお、端子６３Ａがピン部を有し、端子６１Ａが孔部を有してもよい。
【００６３】
第１ケーブル６１と延長ケーブル６３とがマグネットコネクタを介して接続されることにより、例えば電気膝掛け１が大きく動いた場合、第１ケーブル６１と延長ケーブル６３とは分離される。第１ケーブル６１と延長ケーブル６３とが強固に接続されている場合、例えば使用者が椅子から立ち上がることに起因して電気膝掛け１が大きく動くと、電源５がケーブル６を介して電気膝掛け１に引っ張られ、テーブルから落下してしまう可能性がある。本実施形態においては、第１ケーブル６１と延長ケーブル６３とはマグネットコネクタを介して接続される。そのため、例えば使用者が椅子から立ち上がることに起因して電気膝掛け１が大きく動いても、電源５がケーブル６を介して電気膝掛け１に引っ張られる前に、第１ケーブル６１と延長ケーブル６３とが分離する。これにより、電源５がケーブル６を介して電気膝掛け１に引っ張られることが抑制される。したがって、電源５がテーブルから落下することが抑制される。
【００６４】
第１ケーブル６１の端子６１Ａ及び延長ケーブル６３の端子６３Ａと同様、第２ケーブル６２の端子６２Ａ及び延長ケーブル６３の端子６３Ｂも、マグネットコネクタを含んでもよい。延長ケーブル６３は、マグネットコネクタを介して第２ケーブル６２に接続されてもよい。第２ケーブル６２と延長ケーブル６３とがマグネットコネクタを介して接続されることによっても、電源５がケーブル６を介して電気膝掛け１に引っ張られる前に、第２ケーブル６２と延長ケーブル６３とは分離することができる。
【００６５】
なお、延長ケーブル６３を用いない場合において、第１ケーブル６１と第２ケーブル６２とがマグネットコネクタを介して接続されてもよい。
【００６６】
［その他の実施形態］
上述のように、電気膝掛け１は、電気ブランケットの一種である。電気膝掛け１は、図５を参照して説明したように、使用者の膝に掛けられてもよいし、図６を参照して説明したように、電気腰巻きとして使用されてもよい。また、電気膝掛け１は、使用者の上半身を覆う電気ジャケットとして使用されてもよいし、使用者の就寝時に使用される電気布団として使用されてもよい。
【００６７】
上述の実施形態において、操作スイッチ７は、ポケット３と発熱体４との間に配置されなくてもよい。横方向において、操作スイッチ７と発熱体４との間にポケット３が配置されてもよい。
【００６８】
上述の実施形態において、操作スイッチ７は、ポケット３よりも下方に配置されてもよいし、ポケット３よりも上方に配置されてもよい。
【符号の説明】
【００６９】
１…電気膝掛け、２…シート、３…ポケット、４…発熱体、５…電源、６…ケーブル、７…操作スイッチ、８…紐、９…固定部材、１０…ケーブル、１１…制御回路、２１…短辺、２２…長辺、２３…内部空間、２４Ｌ…開口、２４Ｒ…開口、２５Ｌ…紐留め具、２５Ｒ…紐留め具、２６Ｌ…接続布、２６Ｒ…接続布、２７Ｌ…凸ボタン、２７Ｒ…凹ボタン、２８…第１シート、２８Ａ…外面、２８Ｂ…内面、２９…第２シート、２９Ａ…外面、２９Ｂ…内面、３１…ポケット空間、３２…開口、３３…線ファスナー、３３Ａ…エレメント、３３Ｂ…スライダー、３４…開口、４１…短辺、４２…長辺、５１…電動工具用バッテリ、５２…アダプタ、５３…バッテリ装着部、５４…接続部、５５…フック部、６１…第１ケーブル、６１Ａ…端子、６２…第２ケーブル、６２Ａ…端子、６３…延長ケーブル、６３Ａ…端子、６３Ｂ…端子、６４…ピン部、６５…マグネット部、６６…孔部、６７…マグネット部。
【図１】
2020183584.tif 000003
【図２】
2020183584.tif 000004
【図３】
2020183584.tif 000005
【図４】
2020183584.tif 000006
【図５】
2020183584.tif 000007
【図６】
2020183584.tif 000008
【図７】
2020183584.tif 000009
【図８】
2020183584.tif 000010